(57)【要約】    【課題】小型でありながら、諸収差が良好に補正された、４枚構成の撮像レンズ及び、該撮像レンズを備えた撮像装置並びに携帯端末を提供する。    【解決手段】物体側より順に、開口絞りと、正の屈折力を有する第１レンズと、物体側に凸面を向けたメニスカス形状の負の屈折力を有する第２レンズと、正の屈折力を有する第３レンズと、負の屈折力を有する第４レンズと、を有し、ｒ３を第２レンズ物体側面の曲率半径、ｆを撮像レンズ全系の焦点距離、ν２を第２レンズのアッベ数としたとき、以下の条件式を満足する撮像レンズとする。  ０．４＜ｒ３／ｆ＜０．９２    １５＜  ν２  ＜２７【選択図】図５
2010060980.tif 000002
【特許請求の範囲】
【請求項１】
固体撮像素子の光電変換部に被写体像を結像させるための撮像レンズであって、
物体側より順に、開口絞りと、
正の屈折力を有する第１レンズと、
物体側に凸面を向けたメニスカス形状の負の屈折力を有する第２レンズと、
正の屈折力を有する第３レンズと、
負の屈折力を有する第４レンズと、を有し、
以下の条件式を満足することを特徴とする撮像レンズ。
０．４＜ｒ３／ｆ＜０．９２                  （１）
１５＜  ν２  ＜２７                      （２）
ただし、
ｒ３：第２レンズ像側面の曲率半径
ｆ  ：撮像レンズ全系の焦点距離
ν２：第２レンズのアッベ数
【請求項２】
以下の条件式を満足することを特徴とする請求項１に記載の撮像レンズ。
−１．０＜（ｒ１＋ｒ２）／（ｒ１−ｒ２）＜−０．３    （３）
２．０＜（ｒ３＋ｒ４）／（ｒ３−ｒ４）＜５．０      （４）
ただし、
ｒ１：第１レンズ物体側面の近軸曲率半径
ｒ２：第１レンズ像側面の近軸曲率半径
ｒ３：第２レンズ物体側面の近軸曲率半径
ｒ４：第２レンズ像側面の近軸曲率半径
【請求項３】
以下の条件式を満足することを特徴とする請求項１又は２に記載の撮像レンズ。
１．６０＜  ｎ２  ＜２．１０                  （５）
ただし、
ｎ２：第２レンズのｄ線の屈折率
【請求項４】
前記第４レンズの物体側面は非球面形状とされており、以下の条件式を満足することを特徴とする請求項１乃至３のいずれか一項に記載の撮像レンズ。
０．０５＜ｄ６／ｆ＜０．４                    （６）
ただし、
ｄ６：第３レンズと前記第４レンズの軸上の空気間隔
ｆ  ：撮像レンズ全系の焦点距離
【請求項５】
前記第４レンズは、物体側に凸面を向けたメニスカス形状のレンズであることを特徴とする請求項１乃至４のいずれか一項に記載の撮像レンズ。
【請求項６】
前記第４レンズの像側面は非球面形状とされており、その中心では負の屈折力を持ち、周辺に向かうに従い負の屈折力が弱くなり、変曲点を有することを特徴とする請求項１乃至５のいずれか一項に記載の撮像レンズ。
【請求項７】
前記第１レンズ及び前記第２レンズの少なくとも一方はガラス材料で形成されていることを特徴とする請求項１乃至６のいずれか一項に記載の撮像レンズ。
【請求項８】
前記第１レンズ〜第４レンズはすべてプラスチック材料で形成されていることを特徴とする請求項１乃至６のいずれか一項に記載の撮像レンズ。
【請求項９】
被写体像を光電変換する固体撮像素子と、請求項１乃至８のいずれか一項に記載の撮像レンズを備えたことを特徴とする撮像装置。
【請求項１０】
請求項９に記載の撮像装置を備えたことを特徴とする携帯端末。
【発明の詳細な説明】
【技術分野】
【０００１】
本発明は、ＣＣＤ型イメージセンサあるいはＣＭＯＳ型イメージセンサ等の固体撮像素子を用いる小型の撮像レンズ及び撮像装置並びに携帯端末に関するものである。
【背景技術】
【０００２】
近年、ＣＣＤ（Ｃｈａｒｇｅ  Ｃｏｕｐｌｅｄ  Ｄｅｖｉｃｅ）型イメージセンサあるいはＣＭＯＳ（Ｃｏｍｐｌｅｍｅｎｔａｒｙ  Ｍｅｔａｌ  Ｏｘｉｄｅ  Ｓｅｍｃｏｎｄｕｃｔｏｒ）型イメージセンサ等の固体撮像素子を用いた撮像装置の高性能化、小型化が促進され、これら撮像装置を備えた携帯電話や携帯情報端末が普及している。また、これらの撮像装置に搭載される撮像レンズには、さらなる小型化への要求が高まっている。
【０００３】
このような用途の撮像レンズとして、２枚あるいは３枚構成のレンズに比べ、より高性能化をめざし、４枚構成の撮像レンズが提案されている。このような４枚構成の撮像レンズの一例として、物体側より順に正の屈折力を有する第１レンズ、負の屈折力を有する第２レンズ、正の屈折力を有する第３レンズ、正の屈折力を有する第４レンズで構成した、所謂、逆エルノスタータイプの撮像レンズが開示されている（例えば、特許文献１参照）。
【０００４】
また、４枚構成の撮像レンズの別の例として、物体側から順に正の屈折力を有する第１レンズ、負の屈折力を有する第２レンズ、正の屈折力を有する第３レンズ、負の屈折力を有する第４レンズで構成し撮像レンズ全長（撮像レンズ全系の最も物体側のレンズ面から像側焦点までの光軸上の距離）の小型化を目指した、所謂、テレフォトタイプの撮像レンズが開示されている（例えば、特許文献２参照）。
【特許文献１】特開２００４−３４１０１３号公報
【特許文献２】特開２００２−３６５５３０号公報
【発明の開示】
【発明が解決しようとする課題】
【０００５】
しかしながら、上記特許文献１に記載の撮像レンズは、逆エルノスタータイプであるため、第４レンズが正レンズであり、テレフォトタイプのように第４レンズが負レンズの場合に比べ、光学系の主点位置が像側になりバックフォーカスが長くなるため、撮像レンズ全長が長くなる問題がある。さらに、４枚レンズのうち負の屈折力を有するレンズは１枚であり、ペッツバール和の補正が困難で、画像周辺部では良好な性能を確保できていないという問題がある。
【０００６】
また、上記特許文献２に記載の撮像レンズは、撮影画角が狭く焦点距離が長いことから、レンズ全長を短縮化した際に光学性能の劣化により撮像素子の高画素化への対応が困難となる問題がある。
【０００７】
本発明は上記問題点に鑑み、小型でありながら、諸収差が良好に補正された、４枚構成の撮像レンズ及び、該撮像レンズを備えた撮像装置並びに携帯端末を提供することを目的とするものである。
【０００８】
ここで、小型の撮像レンズの尺度であるが、本発明では下式を満たすレベルの小型化を目指している。この範囲を満たすことで、撮像装置全体の小型軽量化が可能となる。
Ｌ／２Ｙ＜１．１０                  （７）
ただし、
Ｌ  ：撮像レンズ全系の最も物体側のレンズ面から像側焦点までの光軸上の距離（但し、「像側焦点」とは、撮像レンズに光軸と平行な平行光線が入射した場合の像点をいう）
２Ｙ：固体撮像素子の撮像面対角線長（固体撮像素子の矩形実効画素領域の対角線長）
なお、撮像レンズの最も像側の面と像側焦点位置との間に、光学的ローパスフィルタ、赤外線カットフィルタ、または固体撮像素子パッケージのシールガラス等の平行平板が配置される場合には、平行平板部分は空気換算距離としたうえで上記Ｌの値を計算するものとする。
【０００９】
また、より望ましくは下式の範囲が良い。
Ｌ／２Ｙ＜１．００                  （７’）
【課題を解決するための手段】
【００１０】
請求項１に記載の撮像レンズは、固体撮像素子の光電変換部に被写体像を結像させるための撮像レンズであって、物体側より順に、開口絞りと、正の屈折力を有する第１レンズと、物体側に凸面を向けたメニスカス形状の負の屈折力を有する第２レンズと、正の屈折力を有する第３レンズと、負の屈折力を有する第４レンズと、を有し、以下の条件式、
０．４＜ｒ３／ｆ＜０．９２                （１）
１５＜  ν２  ＜２７                    （２）
ただし、
ｒ３：第２レンズ像側面の曲率半径
ｆ  ：撮像レンズ全系の焦点距離
ν２：第２レンズのアッベ数
を満足することを特徴とする。
【００１１】
小型で収差の良好に補正された撮像レンズを得るための、本発明の基本構成は、物体側より順に、開口絞り、正の屈折力を有する第１レンズ、負の屈折力を有する第２レンズ、正の屈折力を有する第３レンズ、負の屈折力を有する第４レンズからなる。物体側より順に、第１レンズ、第２レンズ、第３レンズの合成で正の屈折力を形成し、第４レンズが負の屈折力を有することで、所謂テレフォトタイプのレンズ構成とでき、撮像レンズ全長の小型化に有利な構成とすることができる。
【００１２】
さらに、４枚構成のうち２枚を負レンズとすることで、発散作用を有する面を多くしてペッツバール和の補正を容易とし、画面周辺部まで良好な結像性能を確保した撮像レンズを得ることが可能となる。また、最も像側に配置された第４レンズの少なくとも１面を非球面とすることで、画面周辺部での諸収差を良好に補正することができる。
【００１３】
加えて、最も物体側に開口絞りを配置することにより、射出瞳位置を撮像面からより遠くに配置することができ、固体撮像素子の撮像面周辺部に結像する光束の主光線入射角度（主光線と光軸のなす角度）を小さく抑えることができ、所謂テレセントリック特性を確保することができる。また、機械的なシャッタを必要とする場合においても、最も物体側に配置する構成とでき全長の短い撮像レンズを得ることが可能となる。また、第２レンズを物体側に凸面を向けた負の屈折力を持つメニスカス形状にすることで、ペッツバール和の補正を行いつつ、コマ収差や非点収差の発生を抑えることができる。
【００１４】
条件式（１）は、第２レンズの物体側面の曲率半径と焦点距離の比を規定している。このレンズ構成では、軸上色収差や倍率色収差などの色収差について、主に負の屈折力を持つ第２レンズで補正を行っているため、コマ収差や非点収差が発生しやすい。それに対し、条件式（１）の上限を下回ることで、第２レンズが強いメニスカス形状になり、軸外を通る光線の上側マージナル光線と下側マージナル光線の入射角の差が小さくなるので、コマ収差を効率的に補正することができる。また、第２レンズの物体側面の曲率半径を小さくすることによって、周辺部における第１レンズの像側面と第２レンズの物体側面の間隔を広く取ることができるので、第１レンズと第２レンズの間に、ゴースト等の不要光防止用の遮光部材を挿入するためのスペースの確保が容易となる。一方で、条件式（１）の下限値を上回ることにより、第２レンズの物体側面の正の屈折力の増大を抑え、第２レンズ全体の負の屈折力維持のための第２レンズの像側面の負の屈折力増大によるコマフレア等の高次収差の発生を防ぐことができる。
【００１５】
条件式（２）は、第２レンズのアッベ数を規定するものである。条件式（１）を満たすことにより、第２レンズ物体側面の正の屈折力が強くなり、第２レンズ全体の負の屈折力が弱くなるので、軸上色収差や倍率色収差などの色収差の補正力が弱くなる。第２レンズ全体の負の屈折力を強くするには第２レンズ像側面の負の屈折力を強くする必要があるが、その場合コマフレアなどの高次収差が発生しやすくなってしまう。それに対し、条件式（２）の上限を下回ることによって、第２レンズの分散が大きくなるので、第２レンズの屈折力を抑えつつ軸上色収差や倍率色収差などの色収差を有効に補正することができる。一方、条件式（２）の下限値を上回ることで、入手しやすい硝材で構成することができる。
【００１６】
請求項２に記載の撮像レンズは、請求項１に記載の発明において、以下の条件式、
−１．０＜（ｒ１＋ｒ２）／（ｒ１−ｒ２）＜−０．３      （３）
２．０＜（ｒ３＋ｒ４）／（ｒ３−ｒ４）＜  ５．０      （４）
ただし、
ｒ１：第１レンズ物体側面の近軸曲率半径
ｒ２：第１レンズ像側面の近軸曲率半径
ｒ３：第２レンズ物体側面の近軸曲率半径
ｒ４：第２レンズ像側面の近軸曲率半径
を満足することを特徴とする。
【００１７】
条件式（３）は第１レンズのシェーピングファクターを規定している。条件式（３）の上限値を下回ることによって、第１レンズの主点位置が物体側に移動し、撮像レンズの全長を抑えることができる。一方、条件式（３）の下限値を上回ることによって、球面収差の発生を抑えることができる。
【００１８】
条件式（４）は第２レンズのシェーピングファクターを規定している。条件式（４）の下限値を上回ることによって、第２レンズの主点位置が像側に移動し、条件式（３）と組み合わせることによって、第１レンズと第２レンズの主点間隔が広くなり、第１レンズと第２レンズの合成焦点距離を保ちつつ、第１レンズと第２レンズの屈折力を低下することができるので、各収差の発生を抑えることができ、さらに製造誤差の影響を小さくすることができるので、量産性が良くなる。一方、条件式（４）の上限値を下回ることによって、像側面の曲率半径の増大によるコマフレア等の高次収差の発生を抑えることができる。
【００１９】
請求項３に記載の撮像レンズは、請求項１又は２に記載の発明において、以下の条件式、
１．６０＜  ｎ２  ＜２．１０            （５）
ただし、
ｎ２：第２レンズのｄ線の屈折率
を満足することを特徴とする。
【００２０】
条件式（５）は、撮像レンズ全系の色収差、像面湾曲を良好に補正するための条件である。条件式（５）の値が下限を上回ることで、比較的分散の大きな第２レンズの屈折力を適度に維持することができ、色収差、像面湾曲を良好に補正することができる。一方で、条件式（５）の値が上限を下回ることで、入手しやすい硝材で構成することができる。
【００２１】
また、下式、
１．６０＜  ｎ２  ＜２．００            （５’）
の範囲であると、より望ましい。
【００２２】
請求項４に記載の撮像レンズは、請求項１乃至３のいずれかに記載の発明において、第４レンズの物体側面は非球面形状とされており、以下の条件式、
０．０５＜ｄ６／ｆ＜０．４              （６）
ただし、
ｄ６：第３レンズと第４レンズの軸上の空気間隔
ｆ  ：撮像レンズ全系の焦点距離
を満足することを特徴とする。
【００２３】
条件式（６）は、第３レンズと第４レンズの軸上の面間隔と撮像レンズの焦点距離の比を規定している。条件式（６）の下限値を上回ることによって、第３レンズと第４レンズの間隔が広くなり、第４レンズの物体側の面において像高ごとに異なった場所を光束が通過することになるので、第４レンズ物体側面を非球面にすることによって、有効に収差を補正することができる。一方、条件式（６）の上限値を下回ることによって、撮像レンズの全長を抑えることができる。
【００２４】
また、第３レンズと第４レンズを離間させることにより、第３レンズの像側面と第４レンズの物体側面が接近しすぎることがなくなるので、第３レンズと第４レンズの間に、ゴースト等の不要光防止用の遮光部材を挿入するためのスペースの確保が容易となる。さらに、オートフォーカスやマクロ切り替え機能等で焦点位置合わせをしようとした場合、通常はレンズ群全系を光軸方向に移動させて行う全体繰り出しが行われるが、第３レンズと第４レンズのスペースが適度に確保されていることによって、レンズ群の一部分、例えば第１レンズから第３レンズまでを光軸方向に移動させて焦点位置合わせを行う部分群繰り出しが可能となる。この部分群繰り出しにすると、移動群がレンズ全体ではなく一部分でよくなるため、駆動機構を簡略化でき、撮像装置全体の小型軽量化を達成することができる。
【００２５】
請求項５に記載の撮像レンズは、請求項１乃至４のいずれかに記載の発明において、前記第４レンズは、物体側に凸面を向けたメニスカス形状のレンズであることを特徴とする。
【００２６】
第４レンズを、物体側に凸面を向けたメニスカス形状のレンズにすることによって、負の屈折力を持つ第４レンズの主点位置は像側に移動するため、バックフォーカスの増大を抑え、撮像レンズの全長を短縮することができる。
【００２７】
請求項６に記載の撮像レンズは、請求項１乃至５のいずれかに記載の発明において、前記第４レンズの像側面は非球面形状とされており、その中心では負の屈折力を持ち、周辺に向かうに従い負の屈折力が弱くなり、変曲点を有することを特徴とする。
【００２８】
第４レンズの像側面を、光軸から周辺に行くに従って負の屈折力が弱くなり、また変曲点を有する非球面形状とすることで、像側光束のテレセントリック特性を確保しやすくなる。また、第２レンズの像側面は、レンズ周辺部で過度に負の屈折力を弱くする必要がなくなり軸外収差を良好に補正することが可能となる。ここで、「変曲点」とは有効半径内でのレンズ断面形状の曲線において、非球面頂点の接平面が光軸と垂直な平面となるような非球面上の点のことである。
【００２９】
請求項７に記載の撮像レンズは、請求項１乃至６のいずれかに記載の発明において、前記第１レンズ及び前記第２レンズの少なくとも一方はガラス材料で形成されていることを特徴とする。
【００３０】
比較的屈折力の強い第１レンズ及び第２レンズのいずれか一方又は、両方をガラス材料で形成することにより、撮像レンズ全系での温度変化時の像点位置変動を小さくしながらも、プラスチックレンズを第３レンズ、第４レンズに使用することで、撮像レンズ全体のコストを少なく抑えることができる。また、第１レンズをガラス材料で形成すると、プラスチックレンズを外部に露出させずに構成できるので、第１レンズへの傷付等の問題を回避することができるという効果も得ることができる。
【００３１】
請求項８に記載の撮像レンズは、請求項１乃至６のいずれかに記載の発明において、前記第１レンズ〜第４レンズはすべてプラスチック材料で形成されていることを特徴とする。
【００３２】
近年では、固体撮像装置全体の小型化を目的とし、同じ画素数の固体撮像素子であっても、画素ピッチが小さく、結果として撮像面サイズの小さいものが開発されている。このような撮像面サイズの小さい固体撮像素子向けの撮像レンズは、全系の焦点距離を比較的短くする必要があるため、各レンズの曲率半径や外径がかなり小さくなってしまう。従って、手間のかかる研磨加工により製造するガラスレンズと比較すれば、全てのレンズを、射出成形により製造されるプラスチックレンズで構成することにより、曲率半径や外径の小さなレンズであっても安価に大量生産が可能となる。また、プラスチックレンズはプレス温度を低くできることから、成形金型の損耗を抑える事ができ、その結果、成形金型の交換回数やメンテナンス回数を減少させ、コスト低減を図ることができる。
【００３３】
請求項９に記載の撮像装置は、被写体像を光電変換する固体撮像素子と、請求項１乃至８のいずれかに記載の撮像レンズを備えたことを特徴とする。本発明の撮像レンズを用いることで、より小型かつ高性能な撮像装置を得ることができる。
【００３４】
請求項１０に記載の携帯端末は、請求項９に記載の撮像装置を用いたことを特徴とする。本発明の撮像装置を用いることで、より小型かつ高性能な携帯端末を得ることができる。
【発明の効果】
【００３５】
本発明によれば、小型でありながら、諸収差が良好に補正された、４枚構成の撮像レンズ及び、該撮像レンズを備えた撮像装置並びに携帯端末を提供することが可能となる。
【発明を実施するための最良の形態】
【００３６】
以下、実施の形態により本発明を詳しく説明するが、本発明はこれに限定されるものではない。
【００３７】
図１は、本実施の形態に係る撮像装置５０の斜視図であり、図２は、本実施の形態に係る撮像装置５０の撮像レンズの光軸に沿った断面を模式的に示した図である。
【００３８】
図１に示すように、撮像装置５０は、撮像素子の光電変換部に被写体像を結像させる撮像レンズ１０と、遮光部材からなる鏡筒としての筐体５３と、撮像素子５１を保持する支持基板５２ａと、その電気信号の送受を行う外部接続用端子（外部接続端子とも称す）５４を有するフレキシブルプリント基板５２ｂとを備え、これらが一体的に形成されている。
【００３９】
図２に示すように、ＣＭＯＳ型の撮像素子５１はその受光側の面の中央部に画素（光電変換素子）が２次元的に配置された、受光部としての光電変換部５１ａが形成され、その周囲には信号処理回路５１ｂが形成されている。この信号処理回路５１ｂは、各画素を順次駆動し信号電荷を得る駆動回路部と、各信号電荷をデジタル信号に変換するＡ／Ｄ変換部と、このデジタル信号を用い画像信号出力を形成する信号処理部等から構成されている。
【００４０】
撮像素子５１の受光側の面の外縁近傍には、不図示の多数のパッドが設けられており、ボンディングワイヤＷを介して支持基板５２ａに接続されている。撮像素子５１は、光電変換部５１ａからの信号電荷をデジタルＹＵＶ信号等の画像信号に変換し、ボンディングワイヤＷを介して支持基板５２ａ上の所定の回路に出力する。Ｙは輝度信号、Ｕ（＝Ｒ−Ｙ）は赤と輝度信号との色差信号、Ｖ（＝Ｂ−Ｙ）は青と輝度信号との色差信号である。
【００４１】
なお、撮像素子は、上述のＣＭＯＳ型のイメージセンサに限るものでなく、ＣＣＤ等の他のものを適用したものでもよい。
【００４２】
基板５２は、その一方の面で撮像素子５１と筐体５３を支持する硬質の支持基板５２ａと支持基板５２ａの他方の面（撮像素子５１と反対側の面）にその一端部が接続されたフレキシブルプリント基板５２ｂとで構成されている。支持基板５２ａは、表裏両面に多数の信号伝達用パッドが設けられており、一方の面でボンディングワイヤＷを介して撮像素子５１と接続され、他方の面でフレキシブルプリント基板５２ｂと接続されている。
【００４３】
フレキシブルプリント基板５２ｂは、図１に示すように、一端部が支持基板５２ａと接続され、他方の端部に設けられた外部接続端子５４を介して支持基板５２ａと不図示の外部回路（例えば、撮像装置を実装した上位装置が有する制御回路）とを接続し、外部回路から撮像素子５１を駆動するための電圧やクロック信号の供給を受けたり、また、デジタルＹＵＶ信号を外部回路へ出力したりすることを可能としている。更に、フレキシブルプリント基板５２ｂは、可撓性を有し中間部が変形して支持基板５２ａに対し外部接続端子５４の向きや配置に自由度を与えている。
【００４４】
図２に示したように、筐体５３は、支持基板５２ａの撮像素子５１側の面に撮像素子５１を覆うように固定配置されている。即ち、筐体５３は、撮像素子５１側は撮像素子５１を囲むように広く開口されて支持基板５２ａに当接固定され、他端部が小開口を有するフランジ付きの筒状に形成されている。
【００４５】
筐体５３の内部には、撮像レンズ１０と撮像素子５１との間に赤外光カットフィルタＦが固定配置されている。
【００４６】
撮像レンズ１０は、物体側より順に、撮像レンズ全系のＦナンバーを決定する部材である開口絞りＳと、物体側に凸面を向けた正の第１レンズＬ１と、像側に凹面を向けた負の第２レンズＬ２と、像側に凸面を向けたメニスカス形状の正の第３レンズＬ３と、物体側に凸面を向けたメニスカス形状の負の第４レンズＬ４を有し、撮像素子に対して被写体像の結像を行う機能を有する。第１レンズＬ１は、像側面の曲率半径が物体側面の曲率半径よりも小さい両凸レンズであり、第２レンズＬ２は、物体側に凸面を向けたメニスカス形状のレンズであって、第２レンズＬ２の像側面は非球面形状とされており、その中心では負の屈折力を持ち、周辺に向かうに従い負の屈折力が弱くなっていると好ましい。又、第４レンズＬ４の像側面は非球面形状とされており、その中心では負の屈折力を持ち、周辺に向かうに従い負の屈折力が弱くなり、変曲点を有していると好ましい。なお、図１、２では上側を物体側、下側を像側としている。
【００４７】
撮像レンズ１０を構成する各レンズＬ１〜Ｌ４は、鏡枠５５に保持されている。筐体５３は、この鏡枠５５及び鏡枠５５に保持された撮像レンズ１０を内包し、鏡枠５５はその外周で筐体５３と嵌合され、筐体５３の小開口を有するフランジ部で突き当てられ位置決めされている。
【００４８】
更に、図示していないが、各レンズＬ１〜Ｌ４の間に、不要光をカットする固定絞りを配置してもよい。特に、第３レンズＬ３と第４レンズＬ４の間や第４レンズ４と赤外光カットフィルタＦの間に配置することが好ましく、光線経路の外側に矩形の固定絞りを配置することで、ゴースト、フレアの発生を抑えることができる。また、各レンズＬ１〜Ｌ４や、第４レンズと赤外光カットフィルタＦの間の間隔を決めるためのスペーサを配置し、該スペーサに不要光をカットする固定絞りを形成してもよい。
【００４９】
図３は、本実施の形態に係る撮像装置５０を備えた携帯端末の一例である携帯電話機１００の外観図である。
【００５０】
同図に示す携帯電話機１００は、表示画面Ｄ１及びＤ２を備えたケースとしての上筐体７１と、入力部である操作ボタン６０を備えた下筐体７２とがヒンジ７３を介して連結されている。撮像装置５０は、上筐体７１内の表示画面Ｄ２の下方に内蔵されており、撮像装置５０が上筐体７１の外表面側から光を取り込めるよう配置されている。
【００５１】
なお、この撮像装置の位置は上筐体７１内の表示画面Ｄ２の上方や側面に配置してもよい。また携帯電話機は折りたたみ式に限るものではないのは、勿論である。
【００５２】
図４は、携帯電話機１００の制御ブロックの一例を示す図である。
【００５３】
同図に示すように、撮像装置５０は、フレキシブルプリント基板５２ｂを介し、携帯電話機１００の制御部１０１と接続され、輝度信号や色差信号等の画像信号を制御部１０１へ出力する。
【００５４】
一方、携帯電話機１００は、各部を統括的に制御すると共に、各処理に応じたプログラムを実行する制御部（ＣＰＵ）１０１と、番号等を指示入力するための入力部である操作ボタン６０と、所定のデータ表示や撮像した画像を表示する表示画面Ｄ１、Ｄ２と、外部サーバとの間の各種情報通信を実現するための無線通信部８０と、携帯電話機１００のシステムプログラムや各種処理プログラム及び端末ＩＤ等の必要な諸データを記憶している記憶部（ＲＯＭ）９１と、制御部１０１により実行される各種処理プログラムやデータ、若しくは処理データ、撮像装置５０による画像データ等を一時的に格納したり、作業領域として用いられる一時記憶部（ＲＡＭ）９２を備えている。
【００５５】
また、撮像装置５０から入力された画像信号は、携帯電話機１００の制御部１０１により、不揮発性記憶部（フラッシュメモリ）９３に記憶されたり、或いは表示画面Ｄ１、Ｄ２に表示されたり、更には、無線通信部８０を介し画像情報として外部へ送信されるようになっている。なお、不図示であるが携帯電話機１００には、音声を入出力するマイク及びスピーカ等を有している。
【実施例】
【００５６】
以下に、本発明の撮像レンズの実施例を示す。各実施例に使用する記号は下記の通りである。
ｆ      ：撮像レンズ全系の焦点距離
ｆＢ    ：バックフォーカス
Ｆ      ：Ｆナンバー
２Ｙ    ：固体撮像素子の撮像面対角線長（固体撮像素子の矩形実効画素領域の対角線長）
ＥＮＴＰ：入射瞳位置（第１面から入射瞳までの距離）
ＥＸＴＰ：射出瞳位置（像面から射出瞳までの距離）
Ｈ１    ：前側主点位置（第１面から前側主点までの距離）
Ｈ２    ：後側主点位置（最終面から後側主点までの距離）
ｒ      ：屈折面の曲率半径
ｄ      ：軸上面間隔
Ｎｄ    ：レンズ材料のｄ線の常温での屈折率
νｄ    ：レンズ材料のアッベ数
各実施例において、面番号の後に「＊」が記載されている面は、非球面の形状とされている面であり、面の頂点を原点とし、光軸方向にＸ軸をとり、光軸と垂直方向の高さをｈとして、以下の（数１）で表す。
【００５７】
【数１】
2010060980.tif 000003
【００５８】
なお、非球面係数において、１０のべき乗数（例えば、２．５×１０−０２）をＥ（例えば、２．５Ｅ−０２）を用いて表すものとする。また、面番号は、第１レンズの物体側を１面として順に付与した。なお、実施例に記載の長さを表す数値の単位はすべてｍｍとする。
【００５９】
（実施例１）
実施例１の撮像レンズの全体緒元を以下に示す。
ｆ＝４．５８ｍｍ
ｆＢ＝０．６３ｍｍ
Ｆ＝２．８８
２Ｙ＝５．７４４ｍｍ
ＥＮＴＰ＝０ｍｍ
ＥＸＴＰ＝−３．３７ｍｍ
Ｈ１＝−０．６５ｍｍ
Ｈ２＝−３．９３ｍｍ
実施例１の撮像レンズの面データを以下に示す。
面番号        ｒ(mm)      ｄ(mm)      Ｎｄ      νｄ    有効半径(mm)
１（絞り）    ∞        0.000                            0.80
２＊         2.543      0.875     1.54470     56.2      0.88
３＊        -5.491      0.050                            1.02
４＊         4.160      0.424     1.63200     23.4      1.07
５＊         1.700      0.941                            1.08
６＊        -4.823      0.877     1.54470     56.2      1.42
７＊        -1.752      0.410                            1.66
８＊         1.760      0.450     1.54470     56.2      2.33
９＊         1.017      0.800                            2.50
10            ∞        0.145     1.51630     64.1      2.66
11            ∞                                        2.68
非球面係数を以下に示す。
第２面
K=-0.87815E+00,A4=-0.26635E-02,A6=-0.13015E-01,A8=0.10158E-01,A10=-0.70104E-02
第３面
K=0.29799E+01,A4=0.12014E-01,A6=0.20195E-01,A8=-0.30342E-01,A10=0.89631E-02
第４面
K=-0.69336E+01,A4=-0.17267E-01,A6=0.45308E-01,A8=-0.18898E-01,A10=0.19901E-02
第５面
K=-0.47047E+01,A4=0.53012E-01,A6=-0.13803E-01,A8=0.27111E-01,A10=-0.10791E-01
第６面
K=0.82351E+01,A4=0.26980E-01,A6=-0.23281E-01,A8=0.15030E-01,A10=-0.15297E-02
第７面
K=-0.90946E+00,A4=0.13042E-01,A6=0.13022E-01,A8=-0.15132E-01,A10=0.82497E-02,
A12=-0.13463E-02
第８面
K=-0.97467E+01,A4=-0.93478E-01,A6=0.30813E-01,A8=-0.48863E-02,A10=0.43362E-03,
A12=-0.17751E-04
第９面
K=-0.42440E+01,A4=-0.69865E-01,A6=0.19966E-01,A8=-0.37596E-02,A10=0.40155E-03,
A12=-0.17738E-04
実施例１の撮像レンズの単レンズデータを以下に示す。
レンズ    始面    焦点距離(mm)
１       ２        3.318
２       ４       -4.873
３       ６        4.588
４       ８       -5.619
実施例１の撮像レンズの、条件式（１）、（２）、（３）、（４）、（５）、（６）、（７）に対応する値を以下に示す。
（１）  ｒ３／ｆ＝０．９０８
（２）  ν２＝２３．４
（３）  （ｒ１＋ｒ２）／（ｒ１−ｒ２）＝−０．３６７
（４）  （ｒ３＋ｒ４）／（ｒ３−ｒ４）＝２．３８２
（５）  ｎ２＝１．６３２
（６）  ｄ６／ｆ＝０．０９０
（７）  Ｌ／２Ｙ＝０．９８
実施例１では全てのレンズはプラスチック材料から形成されている。
【００６０】
図５は、実施例１に示す撮像レンズの断面図である。光軸に沿って物体側から順に、開口絞りＳ、第１レンズＬ１、第２レンズＬ２、第３レンズＬ３、第４レンズＬ４、光学的ローパスフィルタ、赤外光カットフィルタ、固体撮像素子のシールガラス等を想定した平行平板Ｆ、Ｉは固体撮像素子の撮像面の位置を示している。
【００６１】
図６は、実施例１に示す撮像レンズの収差図（球面収差（ａ）、非点収差（ｂ）、歪曲収差（ｃ）、メリディオナルコマ収差（ｄ））である。尚、以降の収差図において、球面収差図では、実線がｄ線、点線がｇ線を表し、非点収差図では、実線がサジタル像面、点線がメリジオナル像面をあらわすものとする。
【００６２】
（実施例２）
実施例２の撮像レンズの全体緒元を以下に示す。
ｆ＝４．１８ｍｍ
ｆＢ＝０．３７ｍｍ
Ｆ＝２．８８
２Ｙ＝５．６７ｍｍ
ＥＮＴＰ＝０ｍｍ
ＥＸＴＰ＝−２．５５ｍｍ
Ｈ１＝−１．７８ｍｍ
Ｈ２＝−３．７９ｍｍ
実施例２の撮像レンズの面データを以下に示す。
面番号        ｒ(mm)      ｄ(mm)      Ｎｄ      νｄ    有効半径(mm)
１（絞り）    ∞        0.000                            0.73
２＊         1.849      0.639     1.53050     55.7      0.86
３＊       -18.381      0.050                            0.91
４＊         3.416      0.350     1.63200     23.4      0.96
５＊         1.564      0.707                            0.99
６＊       -12.758      0.751     1.53050     55.7      1.35
７＊        -2.321      0.833                            1.57
８＊         1.853      0.452     1.53050     55.7      2.38
９＊         0.991      0.550                            2.60
10            ∞        0.145     1.51630     64.1      2.84
11            ∞                                        2.87
非球面係数を以下に示す。
第２面
K=0.19873E+00,A4=0.66784E-02,A6=-0.16225E-01,A8=0.39188E-01,A10=-0.15189E-01
第３面
K=-0.24181E+02,A4=0.46255E-01,A6=0.59241E-01,A8=-0.53468E-01,
A10=0.48304E-01,A12=-0.84442E-02
第４面
K=-0.41128E+01,A4=-0.16434E-01,A6=0.32980E-01,A8=0.30057E-01,A10=-0.24900E-01
第５面
K=-0.20503E+01,A4=-0.77263E-02,A6=0.28734E-01,A8=-0.20320E-02,
A10=0.29232E-01,A12=-0.21066E-01
第６面
K=-0.13339E+01,A4=-0.82853E-02,A6=0.33482E-01,A8=-0.25473E-01,
A10=0.10634E-01,A12=-0.19061E-02
第７面
K=-0.48695E+00,A4=-0.11932E-01,A6=0.26570E-01,A8=-0.23621E-02,
A10=0.11497E-02,A12=-0.49087E-03
第８面
K=-0.20718E+02,A4=-0.14702E+00,A6=0.46636E-01,A8=-0.62045E-02,
A10=0.38357E-03,A12=-0.88371E-05
第９面
K=-0.65036E+01,A4=-0.66202E-01,A6=0.14680E-01,A8=-0.26667E-02,
A10=0.30972E-03,A12=-0.14709E-04
実施例２の撮像レンズの単レンズデータを以下に示す。
レンズ    始面    焦点距離(mm)
１       ２        3.203
２       ４       -4.923
３       ６        5.220
４       ８       -4.908
実施例２の撮像レンズの、条件式（１）、（２）、（３）、（４）、（５）、（６）、（７）に対応する値を以下に示す。
（１）  ｒ３／ｆ＝０．８１８
（２）  ν２＝２３．４
（３）  （ｒ１＋ｒ２）／（ｒ１−ｒ２）＝−０．８１７
（４）  （ｒ３＋ｒ４）／（ｒ３−ｒ４）＝２．６８８
（５）  ｎ２＝１．６３２
（６）  ｄ６／ｆ＝０．１９９
（７）  Ｌ／２Ｙ＝０．８５
実施例２では全てのレンズはプラスチック材料から形成されている。
【００６３】
図７は、実施例２に示す撮像レンズの断面図である。光軸に沿って物体側から順に、開口絞りＳ、第１レンズＬ１、第２レンズＬ２、第３レンズＬ３、第４レンズＬ４、光学的ローパスフィルタ、赤外光カットフィルタ、固体撮像素子のシールガラス等を想定した平行平板Ｆ、Ｉは固体撮像素子の撮像面の位置を示している。
【００６４】
図８は、実施例２に示す撮像レンズの収差図（球面収差（ａ）、非点収差（ｂ）、歪曲収差（ｃ）、メリディオナルコマ収差（ｄ））である。
【００６５】
（実施例３）
実施例３の撮像レンズの全体緒元を以下に示す。
ｆ＝４．３２ｍｍ
ｆＢ＝０．３８ｍｍ
Ｆ＝２．８８
２Ｙ＝５．６７ｍｍ
ＥＮＴＰ＝０ｍｍ
ＥＸＴＰ＝−２．６６ｍｍ
Ｈ１＝−１．８２ｍｍ
Ｈ２＝−３．９４ｍｍ
実施例３の撮像レンズの面データを以下に示す。
面番号        ｒ(mm)      ｄ(mm)      Ｎｄ      νｄ    有効半径(mm)
１（絞り）    ∞        0.000                            0.75
２＊         2.478      0.620     1.53050     55.7      0.89
３＊        -5.648      0.050                            0.99
４＊         2.196      0.350     1.63200     23.4      1.09
５＊         1.285      0.500                            1.07
６＊        -3.847      0.530     1.53050     55.7      1.14
７＊        -2.023      1.290                            1.28
８＊         2.379      0.450     1.53050     55.7      2.32
９＊         1.298      0.550                            2.52
10            ∞        0.145     1.51630     64.1      2.83
11            ∞                                        2.86
非球面係数を以下に示す。
第２面
K=-0.51935E+00,A4=-0.99544E-02,A6=-0.37008E-01,A8=0.31891E-01,A10=-0.24137E-01
第３面
K=-0.14982E+02,A4=-0.25055E-01,A6=0.21801E-01,A8=-0.17328E-01,A10=-0.53566E-02
第４面
K=-0.74388E+01,A4=-0.71149E-02,A6=0.25437E-01,A8=0.80818E-02,A10=-0.68705E-02
第５面
K=-0.25131E+01,A4=0.56076E-02,A6=0.24350E-01,A8=0.13995E-01,A10=-0.83925E-02
第６面
K=-0.38321E+00,A4=0.37199E-01,A6=0.45017E-01,A8=0.31276E-01,A10=-0.24327E-01
第７面
K=-0.19795E+01,A4=0.11358E-01,A6=0.24458E-01,A8=0.27319E-01,A10=0.57707E-02,
A12=-0.89055E-02
第８面
K=-0.22186E+02,A4=-0.10786E+00,A6=0.33752E-01,A8=-0.59066E-02,A10=0.67013E-03,
A12=-0.35435E-04
第９面
K=-0.66502E+01,A4=-0.67881E-01,A6=0.16049E-01,A8=-0.30509E-02,
A10=0.31138E-03,A12=-0.11992E-04
実施例３の撮像レンズの単レンズデータを以下に示す。
レンズ    始面    焦点距離(mm)
１       ２        3.335
２       ４       -5.760
３       ６        7.304
４       ８       -6.297
実施例３の撮像レンズの、条件式（１）、（２）、（３）、（４）、（５）、（６）、（７）に対応する値を以下に示す。
（１）  ｒ３／ｆ＝０．５０８
（２）  ν２＝２３．４
（３）  （ｒ１＋ｒ２）／（ｒ１−ｒ２）＝−０．３９０
（４）  （ｒ３＋ｒ４）／（ｒ３−ｒ４）＝３．８２２
（５）  ｎ２＝１．６３２
（６）  ｄ６／ｆ＝０．２９９
（７）  Ｌ／２Ｙ＝０．８５
実施例３では全てのレンズはプラスチック材料から形成されている。
【００６６】
図９は、実施例３に示す撮像レンズの断面図である。光軸に沿って物体側から順に、開口絞りＳ、第１レンズＬ１、第２レンズＬ２、第３レンズＬ３、第４レンズＬ４、光学的ローパスフィルタ、赤外光カットフィルタ、固体撮像素子のシールガラス等を想定した平行平板Ｆ、Ｉは固体撮像素子の撮像面の位置を示している。
【００６７】
図１０は、実施例３に示す撮像レンズの収差図（球面収差（ａ）、非点収差（ｂ）、歪曲収差（ｃ）、メリディオナルコマ収差（ｄ））である。
【００６８】
（実施例４）
実施例４の撮像レンズの全体緒元を以下に示す。
ｆ＝４．１５ｍｍ
ｆＢ＝０．３３ｍｍ
Ｆ＝２．８８
２Ｙ＝５．６７ｍｍ
ＥＮＴＰ＝０ｍｍ
ＥＸＴＰ＝−２．４８ｍｍ
Ｈ１＝−１．９８ｍｍ
Ｈ２＝−３．８２ｍｍ
実施例４の撮像レンズの面データを以下に示す。
面番号        ｒ(mm)      ｄ(mm)      Ｎｄ      νｄ    有効半径(mm)
１（絞り）    ∞        0.000                            0.77
２＊         1.937      0.771     1.58910     61.2      0.88
３＊        38.199      0.050                            0.94
４＊         3.749      0.350     1.63200     23.4      0.98
５＊         1.843      0.634                            1.00
６＊        -8.362      0.736     1.53050     55.7      1.21
７＊        -2.261      0.819                            1.45
８＊         1.831      0.462     1.53050     55.7      2.11
９＊         0.965      0.550                            2.40
10            ∞        0.145     1.51630     64.1      2.67
11            ∞                                        2.70
非球面係数を以下に示す。
第２面
K=-0.38718E-01,A4=0.14489E-02,A6=0.29053E-03,A8=0.11852E-02
第３面
K=-0.30000E+02,A4=-0.46153E-02,A6=0.64417E-01,A8=-0.29302E-01
第４面
K=-0.94872E+01,A4=-0.17413E-01,A6=0.44440E-01,A8=0.25044E-01,A10=-0.30185E-01
第５面
K=-0.13412E+01,A4=-0.26524E-03,A6=0.20090E-01,A8=-0.67957E-02,
A10=0.39536E-01,A12=-0.25034E-01
第６面
K=0.18500E+02,A4=-0.79070E-02,A6=0.22700E-01,A8=-0.13006E-01,
A10=0.30632E-02,A12=0.50448E-04
第７面
K=0.16179E+00,A4=-0.11007E-01,A6=0.28214E-01,A8=-0.54550E-02,
A10=0.41053E-02,A12=-0.11456E-02
第８面
K=-0.30000E+02,A4=-0.14995E+00,A6=0.47390E-01,A8=-0.62134E-02,A10=0.38209E-03,
A12=-0.10089E-04
第９面
K=-0.78018E+01,A4=-0.63772E-01,A6=0.12885E-01,A8=-0.23962E-02,A10=0.30047E-03,
A12=-0.15595E-04
実施例４の撮像レンズの単レンズデータを以下に示す。
レンズ    始面    焦点距離(mm)
１       ２        3.437
２       ４       -6.179
３       ６        5.608
４       ８       -4.723
実施例４の撮像レンズの、条件式（１）、（２）、（３）、（４）、（５）、（６）、（７）に対応する値を以下に示す。
（１）  ｒ３／ｆ＝０．９０３
（２）  ν２＝２３．４
（３）  （ｒ１＋ｒ２）／（ｒ１−ｒ２）＝−１．１０７
（４）  （ｒ３＋ｒ４）／（ｒ３−ｒ４）＝２．９３５
（４）  ｎ２＝１．６３２
（５）  ｄ６／ｆ＝０．１９７
（６）  Ｌ／２Ｙ＝０．８５
実施例４では第１レンズはガラス材料から形成され、その他のレンズはプラスチック材料から形成されている。
【００６９】
図１１は、実施例４に示す撮像レンズの断面図である。光軸に沿って物体側から順に、開口絞りＳ、第１レンズＬ１、第２レンズＬ２、第３レンズＬ３、第４レンズＬ４、光学的ローパスフィルタ、赤外光カットフィルタ、固体撮像素子のシールガラス等を想定した平行平板Ｆ、Ｉは固体撮像素子の撮像面の位置を示している。
【００７０】
図１２は、実施例４に示す撮像レンズの収差図（球面収差（ａ）、非点収差（ｂ）、歪曲収差（ｃ）、メリディオナルコマ収差（ｄ））である。
【００７１】
（実施例５）
実施例５の撮像レンズの全体緒元を以下に示す。
ｆ＝３．９２ｍｍ
ｆＢ＝０．４４ｍｍ
Ｆ＝２．８８
２Ｙ＝５．６７ｍｍ
ＥＮＴＰ＝０ｍｍ
ＥＸＴＰ＝−２．６２ｍｍ
Ｈ１＝−１．０９ｍｍ
Ｈ２＝−３．４７ｍｍ
実施例５の撮像レンズの面データを以下に示す。
面番号        ｒ(mm)      ｄ(mm)      Ｎｄ      νｄ    有効半径(mm)
１（絞り）    ∞        0.000                            0.68
２＊         1.884      0.571     1.53420     54.4      0.82
３＊     -6201.2        0.050                            0.88
４＊         2.448      0.350     1.92270     18.9      0.94
５＊         1.543      0.700                            0.93
６＊       -22.525      1.042     1.53050     55.7      1.37
７＊        -1.901      0.556                            1.62
８＊         1.852      0.446     1.53050     55.7      2.25
９＊         0.943      0.550                            2.48
10            ∞        0.145     1.51630     64.1      2.63
11            ∞                                        2.67
非球面係数を以下に示す。
第２面
K=0.25715E+00,A4=0.80702E-02,A6=-0.10690E-01,A8=0.41641E-01,A10=-0.31403E-01
第３面
K=0.15000E+02,A4=0.12093E-01,A6=0.69916E-01,A8=-0.39289E-01,A10=0.28970E-01,
A12=-0.21737E-01
第４面
K=-0.42222E+01,A4=-0.17581E-01,A6=0.23599E-01,A8=0.23478E-01,A10=-0.23496E-01
第５面
K=-0.18064E+01,A4=-0.80067E-02,A6=0.20425E-01,A8=-0.32009E-03,
A10=0.32502E-01,A12=-0.25815E-01
第６面
K=0.15000E+02,A4=-0.65225E-02,A6=0.30881E-01,A8=-0.24496E-01,
A10=0.11007E-01,A12=-0.18578E-02
第７面
K=-0.47382E+00,A4=-0.26558E-02,A6=0.20616E-01,A8=-0.24650E-02,A10=0.15783E-02,
A12=-0.38403E-03
第８面
K=-0.19665E+02,A4=-0.14241E+00,A6=0.46701E-01,A8=-0.62757E-02,A10=0.38048E-03,
A12=-0.75131E-05
第９面
K=-0.54601E+01,A4=-0.61029E-01,A6=0.14760E-01,A8=-0.28171E-02,A10=0.32434E-03,
A12=-0.14370E-04
実施例５の撮像レンズの単レンズデータを以下に示す。
レンズ    始面    焦点距離(mm)
１       ２        3.437
２       ４       -6.179
３       ６        5.608
４       ８       -4.723
実施例５の撮像レンズの、条件式（１）、（２）、（３）、（４）、（５）、（６）、（７）に対応する値を以下に示す。
（１）  ｒ３／ｆ＝０．６２５
（２）  ν２＝１８．９
（３）  （ｒ１＋ｒ２）／（ｒ１−ｒ２）＝−０．９９９
（４）  （ｒ３＋ｒ４）／（ｒ３−ｒ４）＝４．４０８
（５）  ｎ２＝１．９２３
（６）  ｄ６／ｆ＝０．１４２
（７）  Ｌ／２Ｙ＝０．８５
実施例５では第２レンズはガラス材料から形成され、その他のレンズはプラスチック材料から形成されている。
【００７２】
図１３は、実施例５に示す撮像レンズの断面図である。光軸に沿って物体側から順に、開口絞りＳ、第１レンズＬ１、第２レンズＬ２、第３レンズＬ３、第４レンズＬ４、光学的ローパスフィルタ、赤外光カットフィルタ、固体撮像素子のシールガラス等を想定した平行平板Ｆ、Ｉは固体撮像素子の撮像面の位置を示している。
【００７３】
図１４は、実施例５に示す撮像レンズの収差図（球面収差（ａ）、非点収差（ｂ）、歪曲収差（ｃ）、メリディオナルコマ収差（ｄ））である。
【００７４】
（実施例６）
実施例６の撮像レンズの全体緒元を以下に示す。
ｆ＝４．１６ｍｍ
ｆＢ＝０．３７ｍｍ
Ｆ＝２．８８
２Ｙ＝５．６７ｍｍ
ＥＮＴＰ＝０ｍｍ
ＥＸＴＰ＝−２．５８ｍｍ
Ｈ１＝−１．６６ｍｍ
Ｈ２＝−３．７７ｍｍ
実施例６の撮像レンズの面データを以下に示す。
面番号        ｒ(mm)      ｄ(mm)      Ｎｄ      νｄ    有効半径(mm)
１（絞り）    ∞        0.000                            0.72
２＊         1.891      0.610     1.53050     55.7      0.90
３＊        -9.972      0.050                            0.94
４＊         3.799      0.350     1.60700     26.8      0.98
５＊         1.525      0.736                            1.00
６＊       -16.136      0.763     1.53050     55.7      1.34
７＊        -2.329      0.839                            1.53
８＊         1.849      0.433     1.53050     55.7      2.21
９＊         0.994      0.550                            2.46
10            ∞        0.145     1.51630     64.1      2.68
11            ∞                                        2.72
非球面係数を以下に示す。
第２面
K=0.12909E+00,A4=0.55379E-02,A6=-0.17072E-01,A8=0.39373E-01,A10=-0.16956E-01
第３面
K=-0.30000E+02,A4=0.47946E-01,A6=0.49825E-01,A8=-0.57966E-01,A10=0.47743E-01,
A12=-0.65440E-02
第４面
K=-0.53795E+01,A4=-0.17755E-01,A6=0.32061E-01,A8=0.31155E-01,A10=-0.24943E-01
第５面
K=-0.23180E+01,A4=-0.73053E-02,A6=0.31431E-01,A8=-0.19856E-02,A10=0.29094E-01,
A12=-0.21411E-01
第６面
K=-0.30000E+02,A4=-0.72465E-02,A6=0.33067E-01,A8=-0.25308E-01,
A10=0.10763E-01,A12=-0.19129E-02
第７面
K=-0.66553E+00,A4=-0.11095E-01,A6=0.25956E-01,A8=-0.25126E-02,A10=0.11827E-02,
A12=-0.46577E-03
第８面
K=-0.21496E+02,A4=-0.14626E+00,A6=0.46613E-01,A8=-0.62012E-02,A10=0.38395E-03,
A12=-0.88565E-05
第９面
K=-0.66152E+01,A4=-0.64449E-01,A6=0.14406E-01,A8=-0.26522E-02,A10=0.31398E-03,
A12=-0.14971E-04
実施例６の撮像レンズの単レンズデータを以下に示す。
レンズ    始面    焦点距離(mm)
１       ２        3.051
２       ４       -4.455
３       ６        5.034
４       ８       -4.912
実施例６の撮像レンズの、条件式（１）、（２）、（３）、（４）、（５）、（６）、（７）に対応する値を以下に示す。
（１）  ｒ３／ｆ＝０．９１４
（２）  ν２＝２６．８
（３）  （ｒ１＋ｒ２）／（ｒ１−ｒ２）＝−０．６８１
（４）  （ｒ３＋ｒ４）／（ｒ３−ｒ４）＝２．３４１
（５）  ｎ２＝１．６０７
（６）  ｄ６／ｆ＝０．２０２
（７）  Ｌ／２Ｙ＝０．８５
実施例６では全てのレンズはプラスチック材料から形成されている。
【００７５】
図１５は、実施例６に示す撮像レンズの断面図である。光軸に沿って物体側から順に、開口絞りＳ、第１レンズＬ１、第２レンズＬ２、第３レンズＬ３、第４レンズＬ４、光学的ローパスフィルタ、赤外光カットフィルタ、固体撮像素子のシールガラス等を想定した平行平板Ｆ、Ｉは固体撮像素子の撮像面の位置を示している。
【００７６】
図１６は、実施例６に示す撮像レンズの収差図（球面収差（ａ）、非点収差（ｂ）、歪曲収差（ｃ）、メリディオナルコマ収差（ｄ））である。
【００７７】
（実施例７）
実施例７の撮像レンズの全体緒元を以下に示す。
ｆ＝３．９４ｍｍ
ｆＢ＝０．４４ｍｍ
Ｆ＝２．８８
２Ｙ＝５．６７ｍｍ
ＥＮＴＰ＝０ｍｍ
ＥＸＴＰ＝−２．６１ｍｍ
Ｈ１＝−１．１５ｍｍ
Ｈ２＝−３．５ｍｍ
実施例７の撮像レンズの面データを以下に示す。
面番号        ｒ(mm)      ｄ(mm)      Ｎｄ      νｄ    有効半径(mm)
１（絞り）    ∞        0.000                            0.68
２＊         2.008      0.558     1.49740     81.2      0.80
３＊        21.721      0.163                            0.89
４＊         2.270      0.350     1.92270     18.9      1.01
５＊         1.677      0.746                            0.99
６＊       -21.391      0.902     1.53050     55.7      1.44
７＊        -1.813      0.533                            1.64
８＊         2.343      0.466     1.53050     55.7      2.24
９＊         1.016      0.550                            2.49
10            ∞        0.145     1.51630     64.1      2.63
11            ∞                                        2.67
非球面係数を以下に示す。
第２面
K=-0.93391E-01,A4=-0.10323E-02,A6=-0.12351E-01,A8=0.26007E-01,A10=-0.22452E-01
第３面
K=-0.30000E+02,A4=-0.57819E-01,A6=0.80889E-01,A8=-0.12372E-01,
A10=-0.31942E-01,A12=0.11120E-01
第４面
K=-0.52220E+01,A4=-0.22586E-01,A6=0.26655E-01,A8=0.37551E-01,A10=-0.26833E-01
第５面
K=-0.19102E+01,A4=-0.10494E-01,A6=0.18284E-01,A8=0.14111E-01,A10=0.30821E-01,
A12=-0.27893E-01
第６面
K=-0.30000E+02,A4=-0.26855E-02,A6=0.25176E-01,A8=-0.24321E-01,
A10=0.10912E-01,A12=-0.16760E-02
第７面
K=-0.59368E+00,A4=0.19394E-01,A6=0.14763E-01,A8=-0.32041E-02,A10=0.18591E-02,
A12=-0.40152E-03
第８面
K=-0.30000E+02,A4=-0.13194E+00,A6=0.45420E-01,A8=-0.63441E-02,A10=0.39685E-03,
A12=-0.84042E-05
第９面
K=-0.53652E+01,A4=-0.62261E-01,A6=0.15885E-01,A8=-0.29280E-02,A10=0.32219E-03,
A12=-0.14313E-04
実施例７の撮像レンズの単レンズデータを以下に示す。
レンズ    始面    焦点距離(mm)
１       ２        4.408
２       ４       -9.691
３       ６        3.675
４       ８       -3.848
実施例７の撮像レンズの、条件式（１）、（２）、（３）、（４）、（５）、（６）、（７）に対応する値を以下に示す。
（１）  ｒ３／ｆ＝０．５７６
（２）  ν２＝１８．９
（３）  （ｒ１＋ｒ２）／（ｒ１−ｒ２）＝−１．２０４
（４）  （ｒ３＋ｒ４）／（ｒ３−ｒ４）＝６．６５６
（５）  ｎ２＝１．９２３
（６）  ｄ６／ｆ＝０．１３５
（７）  Ｌ／２Ｙ＝０．８５
実施例７では第１レンズと第２レンズはガラス材料から形成され、第３レンズと第４レンズはプラスチック材料から形成されている。
【００７８】
図１７は、実施例７に示す撮像レンズの断面図である。光軸に沿って物体側から順に、開口絞りＳ、第１レンズＬ１、第２レンズＬ２、第３レンズＬ３、第４レンズＬ４、光学的ローパスフィルタ、赤外光カットフィルタ、固体撮像素子のシールガラス等を想定した平行平板Ｆ、Ｉは固体撮像素子の撮像面の位置を示している。
【００７９】
図１８は、実施例７に示す撮像レンズの収差図（球面収差（ａ）、非点収差（ｂ）、歪曲収差（ｃ）、メリディオナルコマ収差（ｄ））である。
【００８０】
なお、本実施例は、固体撮像素子の撮像面に入射する光束の主光線入射角については、撮像面周辺部において必ずしも十分小さい設計になっていない。しかし、最近の技術では、固体撮像素子の色フィルタやオンチップマイクロレンズアレイの配列の見直しによって、シェーディングを軽減することができるようになってきた。具体的には、撮像素子の撮像面の画素ピッチに対し、色フィルタやオンチップマイクロレンズアレイの配列のピッチをわずかに小さく設定すれば、撮像面の周辺部にいくほど各画素に対し色フィルタやオンチップマイクロレンズアレイが撮像レンズ光軸側ヘシフトするため、斜入射の光束を効率的に各画素の受光部に導くことができる。これにより固体撮像素子で発生するシェーディングを小さく抑えることができる。本実施例は、前記要求が緩和された分について、より小型化を目指した設計例となっている。
【図面の簡単な説明】
【００８１】
【図１】本実施の形態に係る撮像装置の斜視図である。
【図２】本実施の形態に係る撮像装置の撮像レンズの光軸に沿った断面を模式的に示した図である。
【図３】本実施の形態に係る撮像装置を備えた携帯端末の一例である携帯電話機の外観図である。
【図４】携帯電話機の制御ブロックの一例を示す図である。
【図５】実施例１に示す撮像レンズの断面図である。
【図６】実施例１に示す撮像レンズの収差図（球面収差（ａ）、非点収差（ｂ）、歪曲収差（ｃ）、メリディオナルコマ収差（ｄ））である。
【図７】実施例２に示す撮像レンズの断面図である。
【図８】実施例２に示す撮像レンズの収差図（球面収差（ａ）、非点収差（ｂ）、歪曲収差（ｃ）、メリディオナルコマ収差（ｄ））である。
【図９】実施例３に示す撮像レンズの断面図である。
【図１０】実施例３に示す撮像レンズの収差図（球面収差（ａ）、非点収差（ｂ）、歪曲収差（ｃ）、メリディオナルコマ収差（ｄ））である。
【図１１】実施例４に示す撮像レンズの断面図である。
【図１２】実施例４に示す撮像レンズの収差図（球面収差（ａ）、非点収差（ｂ）、歪曲収差（ｃ）、メリディオナルコマ収差（ｄ））である。
【図１３】実施例５に示す撮像レンズの断面図である。
【図１４】実施例５に示す撮像レンズの収差図（球面収差（ａ）、非点収差（ｂ）、歪曲収差（ｃ）、メリディオナルコマ収差（ｄ））である。
【図１５】実施例６に示す撮像レンズの断面図である。
【図１６】実施例６に示す撮像レンズの収差図（球面収差（ａ）、非点収差（ｂ）、歪曲収差（ｃ）、メリディオナルコマ収差（ｄ））である。
【図１７】実施例７に示す撮像レンズの断面図である。
【図１８】実施例７に示す撮像レンズの収差図（球面収差（ａ）、非点収差（ｂ）、歪曲収差（ｃ）、メリディオナルコマ収差（ｄ））である。
【符号の説明】
【００８２】
Ｓ  絞り
Ｌ１  第１レンズ
Ｌ２  第２レンズ
Ｌ３  第３レンズ
Ｌ４  第４レンズ
５０  撮像装置
５１  撮像素子
５２ａ  支持基板
５２ｂ  フレキシブルプリント基板
５３  筐体
５５  鏡枠
１００  携帯電話機
【図１】
2010060980.tif 000004
【図２】
2010060980.tif 000005
【図３】
2010060980.tif 000006
【図４】
2010060980.tif 000007
【図５】
2010060980.tif 000008
【図６】
2010060980.tif 000009
【図７】
2010060980.tif 000010
【図８】
2010060980.tif 000011
【図９】
2010060980.tif 000012
【図１０】
2010060980.tif 000013
【図１１】
2010060980.tif 000014
【図１２】
2010060980.tif 000015
【図１３】
2010060980.tif 000016
【図１４】
2010060980.tif 000017
【図１５】
2010060980.tif 000018
【図１６】
2010060980.tif 000019
【図１７】
2010060980.tif 000020
【図１８】
2010060980.tif 000021
【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
固体撮像素子の光電変換部に被写体像を結像させるための撮像レンズであって、
物体側より順に、開口絞りと、
正の屈折力を有する第１レンズと、
物体側に凸面を向けたメニスカス形状の負の屈折力を有する第２レンズと、
正の屈折力を有する第３レンズと、
負の屈折力を有する第４レンズと、を有し、
以下の条件式を満足することを特徴とする撮像レンズ。
０．４＜ｒ３／ｆ＜０．９２                  （１）
１５＜  ν２  ＜２７                      （２）
ただし、
ｒ３：第２レンズ物体側面の曲率半径
ｆ  ：撮像レンズ全系の焦点距離
ν２：第２レンズのアッベ数
【請求項２】
以下の条件式を満足することを特徴とする請求項１に記載の撮像レンズ。
−１．０＜（ｒ１＋ｒ２）／（ｒ１−ｒ２）＜−０．３    （３）
２．０＜（ｒ３＋ｒ４）／（ｒ３−ｒ４）＜５．０      （４）
ただし、
ｒ１：第１レンズ物体側面の近軸曲率半径
ｒ２：第１レンズ像側面の近軸曲率半径
ｒ３：第２レンズ物体側面の近軸曲率半径
ｒ４：第２レンズ像側面の近軸曲率半径
【請求項３】
以下の条件式を満足することを特徴とする請求項１又は２に記載の撮像レンズ。
１．６０＜  ｎ２  ＜２．１０                  （５）
ただし、
ｎ２：第２レンズのｄ線の屈折率
【請求項４】
前記第４レンズの物体側面は非球面形状とされており、以下の条件式を満足することを特徴とする請求項１乃至３のいずれか一項に記載の撮像レンズ。
０．０５＜ｄ６／ｆ＜０．４                    （６）
ただし、
ｄ６：第３レンズと前記第４レンズの軸上の空気間隔
ｆ  ：撮像レンズ全系の焦点距離
【請求項５】
前記第４レンズは、物体側に凸面を向けたメニスカス形状のレンズであることを特徴とする請求項１乃至４のいずれか一項に記載の撮像レンズ。
【請求項６】
前記第４レンズの像側面は非球面形状とされており、その中心では負の屈折力を持ち、周辺に向かうに従い負の屈折力が弱くなり、変曲点を有することを特徴とする請求項１乃至５のいずれか一項に記載の撮像レンズ。
【請求項７】
前記第１レンズ及び前記第２レンズの少なくとも一方はガラス材料で形成されていることを特徴とする請求項１乃至６のいずれか一項に記載の撮像レンズ。
【請求項８】
前記第１レンズ〜第４レンズはすべてプラスチック材料で形成されていることを特徴とする請求項１乃至６のいずれか一項に記載の撮像レンズ。
【請求項９】
被写体像を光電変換する固体撮像素子と、請求項１乃至８のいずれか一項に記載の撮像レンズを備えたことを特徴とする撮像装置。
【請求項１０】
請求項９に記載の撮像装置を備えたことを特徴とする携帯端末。
【手続補正２】
【補正対象書類名】明細書
【補正対象項目名】００１０
【補正方法】変更
【補正の内容】
【００１０】
請求項１に記載の撮像レンズは、固体撮像素子の光電変換部に被写体像を結像させるための撮像レンズであって、物体側より順に、開口絞りと、正の屈折力を有する第１レンズと、物体側に凸面を向けたメニスカス形状の負の屈折力を有する第２レンズと、正の屈折力を有する第３レンズと、負の屈折力を有する第４レンズと、を有し、以下の条件式、
０．４＜ｒ３／ｆ＜０．９２                （１）
１５＜  ν２  ＜２７                    （２）
ただし、
ｒ３：第２レンズ物体側面の曲率半径
ｆ  ：撮像レンズ全系の焦点距離
ν２：第２レンズのアッベ数
を満足することを特徴とする。
【手続補正３】
【補正対象書類名】明細書
【補正対象項目名】００４８
【補正方法】変更
【補正の内容】
【００４８】
更に、図示していないが、各レンズＬ１〜Ｌ４の間に、不要光をカットする固定絞りを配置してもよい。特に、第３レンズＬ３と第４レンズＬ４の間や第４レンズＬ４と赤外光カットフィルタＦの間に配置することが好ましく、光線経路の外側に矩形の固定絞りを配置することで、ゴースト、フレアの発生を抑えることができる。また、各レンズＬ１〜Ｌ４や、第４レンズと赤外光カットフィルタＦの間の間隔を決めるためのスペーサを配置し、該スペーサに不要光をカットする固定絞りを形成してもよい。
【手続補正４】
【補正対象書類名】明細書
【補正対象項目名】００６８
【補正方法】変更
【補正の内容】
【００６８】
（実施例４）
実施例４の撮像レンズの全体緒元を以下に示す。
ｆ＝４．１５ｍｍ
ｆＢ＝０．３３ｍｍ
Ｆ＝２．８８
２Ｙ＝５．６７ｍｍ
ＥＮＴＰ＝０ｍｍ
ＥＸＴＰ＝−２．４８ｍｍ
Ｈ１＝−１．９８ｍｍ
Ｈ２＝−３．８２ｍｍ
実施例４の撮像レンズの面データを以下に示す。
面番号        ｒ(mm)      ｄ(mm)      Ｎｄ      νｄ    有効半径(mm)
１（絞り）    ∞        0.000                            0.77
２＊         1.937      0.771     1.58910     61.2      0.88
３＊        38.199      0.050                            0.94
４＊         3.749      0.350     1.63200     23.4      0.98
５＊         1.843      0.634                            1.00
６＊        -8.362      0.736     1.53050     55.7      1.21
７＊        -2.261      0.819                            1.45
８＊         1.831      0.462     1.53050     55.7      2.11
９＊         0.965      0.550                            2.40
10            ∞        0.145     1.51630     64.1      2.67
11            ∞                                        2.70
非球面係数を以下に示す。
第２面
K=-0.38718E-01,A4=0.14489E-02,A6=0.29053E-03,A8=0.11852E-02
第３面
K=-0.30000E+02,A4=-0.46153E-02,A6=0.64417E-01,A8=-0.29302E-01
第４面
K=-0.94872E+01,A4=-0.17413E-01,A6=0.44440E-01,A8=0.25044E-01,A10=-0.30185E-01
第５面
K=-0.13412E+01,A4=-0.26524E-03,A6=0.20090E-01,A8=-0.67957E-02,
A10=0.39536E-01,A12=-0.25034E-01
第６面
K=0.18500E+02,A4=-0.79070E-02,A6=0.22700E-01,A8=-0.13006E-01,
A10=0.30632E-02,A12=0.50448E-04
第７面
K=0.16179E+00,A4=-0.11007E-01,A6=0.28214E-01,A8=-0.54550E-02,
A10=0.41053E-02,A12=-0.11456E-02
第８面
K=-0.30000E+02,A4=-0.14995E+00,A6=0.47390E-01,A8=-0.62134E-02,A10=0.38209E-03,
A12=-0.10089E-04
第９面
K=-0.78018E+01,A4=-0.63772E-01,A6=0.12885E-01,A8=-0.23962E-02,A10=0.30047E-03,
A12=-0.15595E-04
実施例４の撮像レンズの単レンズデータを以下に示す。
レンズ    始面    焦点距離(mm)
１       ２        3.437
２       ４       -6.179
３       ６        5.608
４       ８       -4.723
実施例４の撮像レンズの、条件式（１）、（２）、（３）、（４）、（５）、（６）、（７）に対応する値を以下に示す。
（１）  ｒ３／ｆ＝０．９０３
（２）  ν２＝２３．４
（３）  （ｒ１＋ｒ２）／（ｒ１−ｒ２）＝−１．１０７
（４）  （ｒ３＋ｒ４）／（ｒ３−ｒ４）＝２．９３５
（５）  ｎ２＝１．６３２
（６）  ｄ６／ｆ＝０．１９７
（７）  Ｌ／２Ｙ＝０．８５
実施例４では第１レンズはガラス材料から形成され、その他のレンズはプラスチック材料から形成されている。
【手続補正５】
【補正対象書類名】明細書
【補正対象項目名】００７１
【補正方法】変更
【補正の内容】
【００７１】
（実施例５）
実施例５の撮像レンズの全体緒元を以下に示す。
ｆ＝３．９２ｍｍ
ｆＢ＝０．４４ｍｍ
Ｆ＝２．８８
２Ｙ＝５．６７ｍｍ
ＥＮＴＰ＝０ｍｍ
ＥＸＴＰ＝−２．６２ｍｍ
Ｈ１＝−１．０９ｍｍ
Ｈ２＝−３．４７ｍｍ
実施例５の撮像レンズの面データを以下に示す。
面番号        ｒ(mm)      ｄ(mm)      Ｎｄ      νｄ    有効半径(mm)
１（絞り）    ∞        0.000                            0.68
２＊         1.884      0.571     1.53420     54.4      0.82
３＊     -6201.2        0.050                            0.88
４＊         2.448      0.350     1.92270     18.9      0.94
５＊         1.543      0.700                            0.93
６＊       -22.525      1.042     1.53050     55.7      1.37
７＊        -1.901      0.556                            1.62
８＊         1.852      0.446     1.53050     55.7      2.25
９＊         0.943      0.550                            2.48
10            ∞        0.145     1.51630     64.1      2.63
11            ∞                                        2.67
非球面係数を以下に示す。
第２面
K=0.25715E+00,A4=0.80702E-02,A6=-0.10690E-01,A8=0.41641E-01,A10=-0.31403E-01
第３面
K=0.15000E+02,A4=0.12093E-01,A6=0.69916E-01,A8=-0.39289E-01,A10=0.28970E-01,
A12=-0.21737E-01
第４面
K=-0.42222E+01,A4=-0.17581E-01,A6=0.23599E-01,A8=0.23478E-01,A10=-0.23496E-01
第５面
K=-0.18064E+01,A4=-0.80067E-02,A6=0.20425E-01,A8=-0.32009E-03,
A10=0.32502E-01,A12=-0.25815E-01
第６面
K=0.15000E+02,A4=-0.65225E-02,A6=0.30881E-01,A8=-0.24496E-01,
A10=0.11007E-01,A12=-0.18578E-02
第７面
K=-0.47382E+00,A4=-0.26558E-02,A6=0.20616E-01,A8=-0.24650E-02,A10=0.15783E-02,
A12=-0.38403E-03
第８面
K=-0.19665E+02,A4=-0.14241E+00,A6=0.46701E-01,A8=-0.62757E-02,A10=0.38048E-03,
A12=-0.75131E-05
第９面
K=-0.54601E+01,A4=-0.61029E-01,A6=0.14760E-01,A8=-0.28171E-02,A10=0.32434E-03,
A12=-0.14370E-04
実施例５の撮像レンズの単レンズデータを以下に示す。
レンズ    始面    焦点距離(mm)
１       ２        53.52
２       ４       -5.552
３       ６        3.846
４       ８       -4.370
実施例５の撮像レンズの、条件式（１）、（２）、（３）、（４）、（５）、（６）、（７）に対応する値を以下に示す。
（１）  ｒ３／ｆ＝０．６２５
（２）  ν２＝１８．９
（３）  （ｒ１＋ｒ２）／（ｒ１−ｒ２）＝−０．９９９
（４）  （ｒ３＋ｒ４）／（ｒ３−ｒ４）＝４．４０８
（５）  ｎ２＝１．９２３
（６）  ｄ６／ｆ＝０．１４２
（７）  Ｌ／２Ｙ＝０．８５
実施例５では第２レンズはガラス材料から形成され、その他のレンズはプラスチック材料から形成されている。